(57)【要約】      （修正有）【課題】情報媒体の作製に際し発光素子の装着手間を低減する発光素子用取付具とその連結体を提供する。【解決手段】発光素子用ホルダー装着口３１及び左右の連結口３２Ｌ，３２Ｒを開口するように壁部３３で上部プレート１０と下部プレート２０とを連結する。上部プレート１０の中間部１１に露出部１２を開口する。上部プレート１０及び下部プレート２０の左端部１３，２３及び右端部１４，２４が平面視において半円弧状であり、左端部１３、２３の間隔を右端部１４、２４の間隔より狭い。棒状の係合部３４で右端部１４，２４同士を接続し、左端部１３，２３に係合部３４に対応した係合受部３５を設ける。係合部３４を他の取付具１の係合部３５に引っ掛けて連結する。【選択図】図１
0003174260.tif 000002
【実用新案登録請求の範囲】
【請求項１】
上部プレートと下部プレートが正面の発光素子用ホルダー装着口及び左右の連結口を開口するように壁部により連結されてなり、
上記上部プレートの中間部には露出部が開口され、該露出部が発光素子用ホルダー装着口とつながっており、
上記上部プレート及び上記下部プレートの各左端部並びに上記上部プレート及び上記下部プレートの各右端部が平面視において半円弧状をなし、かつ上記上部プレートの左右何れか一方の端部と上記下部プレートの左右何れかの一方の端部との間隔が上記上部プレートの他方の端部と上記下部プレートの他方の端部との間隔より狭く、
上記上部プレート及び上記下部プレートの各他方の端部が上下に延びる係合部により接続され、上記上部プレート及び上記下部プレートの各一方の端部には上記係合部に対応した係合受部が設けられている、発光素子用取付具。
【請求項２】
請求項１に記載の発光素子用取付具を複数備えており、
互いに隣り合う一方の発光素子用取付具における他方の連結口から他方の発光素子用取付具における各一方の端部を挿入して挟み込み、上記一方の発光素子用取付具の係合部を上記他方の発光素子用取付具の係合受部に引っ掛け、上記一方の発光素子用取付具と上記他方の発光素子用取付具とを連結してなる、発光素子用取付具の連結体。
【考案の詳細な説明】
【技術分野】
【０００１】
本考案は、文字、図形、記号を表す情報媒体の作製又は装飾に利用される発光素子用取付具とそれを結合した連結体に関する。
【背景技術】
【０００２】
従来、店頭や施設の入り口に看板を設置してその店や施設に関する情報を呈示している。このような看板にイルミネーションとしてネオンサインや発光ダイオード素子を配置して宣伝広告機能を十分発揮できるようにしている。
【０００３】
本考案者は、看板に発光ダイオード素子を取り付けるための発光素子用ホルダーや、斬新な情報呈示を行える表示装置を開発してきた（例えば特許文献１乃至３）。従来、発光ダイオード素子同士は互いに配線コードで接続されており、情報媒体に間隔をあけて取り付けられている。情報媒体とは、板材や発泡材で立体的又は平面的に構成されており、その表面に文字、図形、記号が描かれていることで一般人などに情報を広く知らしめるためのものである。
【０００４】
特許文献３では、複数の発光素子用ホルダーに発光素子を収容し、発光素子用ホルダーに配線コードを接続して構成される照明具において、開口を有する上部及び上部外周縁から裏側に延びる側壁部により収容空間を画成した枠体と、この枠体の裏側から収容空間を塞ぐキャップ材とを備え、発光素子用ホルダーを枠体に裏側から挿入して側壁部の左右に設けたスリットに配線コードを挿通した状態で、発光素子用ホルダーを軸まわりに回し、配線コードを発光素子用ホルダーの周りに沿って部分的に納めることを可能にした照明具を提案している。これにより、情報媒体に複数の発光素子を取り付ける際、発光素子同士を電気的に接続する配線コードの長さが調整可能となっている。
【先行技術文献】
【特許文献】
【０００５】
【特許文献１】特開２００７−３０５５７８号公報
【特許文献２】実用新案登録第３１３８３５９号公報
【特許文献３】実用新案登録第３１５０４９３号公報
【考案の概要】
【考案が解決しようとする課題】
【０００６】
しかしながら、特許文献３による照明具では、第一に、枠体とキャップ材とを別々に成形することになるため、別々に保管しなければならない。第二に、発光素子を収容した発光素子用ホルダーを枠体裏側から挿入して発光素子用ホルダーの頭部を開口から露出して裏側からキャップ材で塞ぐことになるため、情報媒体に多数の発光素子を装着する際、手間がかかる。
【０００７】
そこで、本考案では、情報媒体を作製したり装飾したりするにあたって発光素子を装着する手間を低減すると共に、それに必要となる部材点数を限りなく少なくした発光素子用取付具とそれの連結体を提供することを目的とする。
【課題を解決するための手段】
【０００８】
上記目的を達成するために、本考案に係る発光素子用取付具は、上部プレートと下部プレートが正面の発光素子用ホルダー装着口及び左右の連結口を開口するように壁部により連結されてなり、上部プレートの中間部には露出部が開口されており、露出部が発光素子用ホルダー装着口とつながっており、上部プレート及び下部プレートの各左端部並びに上部プレート及び下部プレートの各右端部が平面視において半円弧状をなし、かつ上部プレートの左右何れか一方の端部と下部プレートの左右何れか一方の端部との間隔が上部プレートの他方の端部と下部プレートの他方の端部との間隔より狭く、上部プレート及び下部プレートの各他方の端部が上下に延びる係合部により接続され、上部プレート及び下部プレートの各一方の端部には係合部に対応した係合受部が設けられていることを特徴とする。
【０００９】
本考案に係る連結体は、本発明の発光素子用取付具を複数備えており、互いに隣り合う一方の発光素子用取付具における他方の連結口から他方の発光素子用取付具における各一方の端部を挿入して挟み込み、一方の発光素子用取付具の係合部を他方の発光素子用取付具の係合受部に引っ掛け、一方の発光素子用取付具と他方の発光素子用取付具とを連結して構成される。
【考案の効果】
【００１０】
本考案に係る発光素子用取付具は、正面の発光素子用ホルダー装着口及び左右の連結口を開口するように壁部が上部プレートと下部プレートとを連結されて一体化されている。よって、隣り合う一方の発光素子用取付具における他方の連結口へ他方の発光素子用取付具における上下の各プレートの一方の端部が挿入され、一方の発光素子用取付具の係合部を他方の発光素子用取付具の係合受部に引っ掛けることで、発光素子用取付具を連結自在となる。これにより、左右それぞれの発光素子用取付具同士の角度を任意に調整することができ、連結体を自由な形状とすることができる。
本考案によれば、連結体において各発光素子用ホルダー装着口に順に、発光素子を搭載した発光素子用ホルダーを挿入するという単純な作業により、発光素子をその任意の形状に沿って間隔を開けて配置することができる。よって、情報媒体を作製したり装飾したりするに際して、必要となる部材点数を限りなく少なくできる。
【図面の簡単な説明】
【００１１】
【図１】本考案の実施形態に係る発光素子用取付具の斜視図である。
【図２】図１に示す発光素子用取付具を示し、（ａ）は正面図、（ｂ）は平面図、（ｃ）は底面図、（ｄ）は左側面図、（ｅ）は右側面図である。
【図３】図１に示す発光素子用取付具を連結しながら発光素子用ホルダーを装着する状況を模式的に示す図である。
【図４】図１に示す発光素子用取付具により発光素子用ホルダーを装着して情報媒体を構成した一例を示す模式図である。
【考案を実施するための形態】
【００１２】
以下、図面を参照しながら本考案の実施形態について詳細に説明する。
【００１３】
図１は本考案の実施形態に係る発光素子用取付具の斜視図であり、図２は図１に示す発光素子用取付具であって、（ａ）は正面図、（ｂ）は平面図、（ｃ）は底面図、（ｄ）は左側面図、（ｅ）は右側面図である。
【００１４】
本考案の実施形態に係る発光素子用取付具１は、上部プレート１０と下部プレート２０が正面の発光素子用ホルダー装着口３１及び左右の連結口３２Ｌ，３２Ｒを開口して壁部３３により連結されてなる。上部プレート１０の中間部１１には露出部１２が開口されており、露出部１２と発光素子用ホルダー装着口３１とがつながっている。露出部１２は、後述する図３に示すように、発光素子用ホルダー４を正面の発光素子用ホルダー装着口３１から挿入した後に上部プレート１０から発光素子用ホルダーの頭部４Ａを突出するために用いられる。
【００１５】
上部プレート１０は、中間部１１とその中間部１１の左右両側に左端部１３と右端部１４とを備えている。左端部１３、右端部１４は平面視において略半円弧状をなしているのに対し、中間部１１は図示するように矩形状でも円弧状など任意の形状でもよい。中間部１１の上面と右端部１４の上面とは同一面上にあり、中間部１１の下面と左端部１３の下面とは同一面上にあり、中間部１１の左端部１３との境、中間部１１の右端部１４との境にはそれぞれ段差が形成されている。その結果、左端部１３の下面は中間部１１及び右端部１４の上面と比べて左端部１３、右端部１４の厚み分だけ下げて設けられている。
【００１６】
下部プレート２０は、上部プレート１０の中間部１１と対向する部位に中間部１１と平面視で同一形状の中間部２１を備え、その中間部２１が発光素子用ホルダー４を保持するのに供される。下部プレート２０は、中間部２１とその中間部２１の左右両側に左端部２３と右端部２４とを備えている。左端部２３、右端部２４は平面視において略半円弧状をなしているのに対し、中間部２１は図示するように矩形状でも円弧状など任意の形状でもよい。中間部２１の下面と右端部２４の下面とは同一面上にあり、中間部２１の上面と左端部２３の上面とは同一面上にあり、中間部２１の左端部２３との境、中間部２１の右端部２４との境にはそれぞれ段差が形成されている。その結果、左端部２３の下面は中間部２１及び右端部２４の上面と比べて左端部２３、右端部２４の厚み分だけ浮かして設けられている。
【００１７】
上部プレート１０の中間部１１と下部プレート２１の中間部２１の対向する面側には、それぞれ段差分の枠１１Ａ，２１Ａが形成されている。枠１１Ａ，２１ＡはＵ字形状に形成されており、枠１１Ａ，２１Ａによって発光素子用ホルダー４を保持する。
【００１８】
このように、上部プレート１０の左端部１３と下部プレート２０の左端部２３との間隔は、上部プレート１０の右端部１４と下部プレート２０の右端部２４との間隔より狭くなっている。これにより、図３を参照して後述するように、隣り合う左側の発光素子用取付具１Ｌの右の連結口３２Ｒへ右側の発光素子用取付具１Ｒの左端部１３，２３を挿入して、左側の発光素子用取付具１Ｌにおける各右端部１４，２４で右側の発光素子用取付具１Ｒにおける各左端部１３，２３を挟んで嵌合することで、発光素子用取付具１Ｌ，１Ｒ同士を連結することができる。
【００１９】
上部プレート１０の中間部１１と下部プレート２０の中間部２１との間は、上下方向に背面の壁部３３Ｂで接続され、上部プレート１０の左端部１３と下部プレート２０の左端部２３の手前半分を左の連結口３２Ｌとして開口し、奥側半分を上下方向に左側面の壁部３３Ｌで接続されている。これにより、上部プレート１０と下部プレート２０とが、正面の発光素子用ホルダー装着口３１及び左右の連結口３２Ｌ，３２Ｒを開口した状態で壁部３３Ｂ，３３Ｌにより連結されている。右の連結口３２Ｒには、左の連結口３２Ｌと異なり、手前半分と奥側半分の何れにも壁部を設けていない。これにより、隣り合う左側の発光素子用取付具１Ｌの右の連結口３２Ｒに右側の発光素子用取付具１Ｒの左端部１３，２３を挿入し易くなり、右側の発光素子用取付具１Ｒの中心軸と左側の発光素子用取付具１Ｌの中心軸とを、直線状ではなく任意の角度を形成するようにすることができる。なお、上部プレート１０と下部プレート２０とを背面の壁部３３Ｂ、左側面の壁部３３Ｌの何れか一方だけで接続して一体化させてもよい。
【００２０】
上部プレート１０の右端部１４と下部プレート２０の右端部２４との間には、棒状の係合部３４が上下に延びて設けられている。これにより、右の連結口３２Ｒには、手前半分、奥側半分の何れにも壁部を設けて上部プレート１０の右端部１４と下部プレート２０の右端部２４とを上下に接続しなくても、係合部３４によって上下の接続を維持することができる。
【００２１】
上部プレート１０の左端部１３と下側プレート２０の左端部２４とには、左側の発光素子用取付具１Ｌの係合部３４に対応するように係合受部３５が切り欠いて設けられている。係合受部３５は、奥行き方向の中心からやや手前側に左右方向に僅かに延びる第一の挿入路３５Ａと、第一の挿入路３５Ａと交差して奥行き方向に僅かに延びる第二の挿入路３５Ｂと、第二の挿入路３５Ｂの奥側で径を大きくした略Ｃ字形状の把握部３５Ｃとで形成されている。よって、向かって左側の発光素子用取付具１Ｌの右の連結口３２Ｒに右側の発光素子用取付具１Ｒの各左端部１３及び２３を挿入した際、係合部３４を第一の挿入路３５Ａ，第二の挿入路３５Ｂに順に通していき、把握部３５Ｃに係合部３４を引っ掛けることにより、左右の発光素子用取付具１Ｌ，１Ｒ同士を容易に離れないように連結することができる。
【００２２】
本考案の実施形態に係る発光素子用取付具１は一ユニットで形成されており、構造も簡素化されているため、製造コストを低廉化することができる。本考案の実施形態に係る発光素子用取付具１は、透明のポリカーボネートなどの熱可塑性プラスチックで成形することができる。
【００２３】
次に、本考案の実施形態に係る発光素子用取付具を結合して構成される連結体について説明する。連結体は、文字、図形、記号が平面的又は立体的に表された情報媒体に装着されてもよいし、又は何ら情報が表されていない平面状の媒体に任意の形状に沿って装着することにより、文字、図形、記号を表して情報媒体として構成してもよい。
【００２４】
図３は、図１に示す発光素子用取付具を連結しながら発光素子用ホルダーを装着する状況を模式的に示す図である。図３では、発光素子用取付具１を連結しつつある状態において、その連結体２の右端に位置する発光素子用取付具１に対し、右から別の発光素子用取付具１を連結する状況を示している。図３に示すように、隣り合う左側の発光素子用取付具１Ｌの右の連結口３２Ｒに、右側の発光素子用取付具１Ｒの左端部１３，２３を背面から矢印Ａで示す方向に挿入し、左側の発光素子用取付具１Ｌにおける各右端部１４，２４で右側の発光素子用取付具１Ｒにおける各左端部１３，２３を挟んで嵌合し、発光素子用取付具１Ｌ，１Ｒ同士を連結する。この連結作業を繰り返し行うことにより、連結体２を構成することができる。
【００２５】
連結体２を構成する際に、各発光素子用取付具１の発光素子用ホルダー装着口３１から、照明具３の各発光素子用ホルダー４を装着する。ここで、照明具３は、例えば、抵抗などの電子部品を搭載したプリント基板に対して砲弾型の発光ダイオード素子のリードが接続され、プリント基板同士を配線コード５により直列接続することにより、複数の発光素子を電気的に接続したものである。各ホルダー本体７によってプリント基板が収容され、ホルダー本体７から露出した発光ダイオード素子にカバー材６が装着されている。発光素子用ホルダー４からは左右に配線コード５が延びている。図３に示すように、カバー材６は、ホルダー本体７と接続する発光素子用ホルダー取付端部の外径が小さく括れている。このような照明具３の構成は、例えば特許文献３において本考案者が考案したものが挙げられるが、それ以外の構成でもよい。
【００２６】
このような照明具３を連結体２に装着する際には、発光素子用ホルダー４の頭部４Ａとしてのカバー材６を上部プレート１０の露出部１２から露出させるように、正面の発光素子用ホルダー装着口３１に対し各発光素子用ホルダー４を矢印Ｂで示すように挿入する。そして、発光素子用ホルダー４の頭部４Ａを、矢印Ｃで示すように軸回りに回転させて、配線コード５をホルダー本体７の周囲に巻き取る。これにより、余分な配線コード５を発光素子用ホルダー装着口３１から乱れてはみ出さないようにすることができる。なお、発光素子用ホルダー４の高さを、上部プレート１０と下部プレート２０との各中間部１１，２１との間よりもやや大きく設定しておけば、発光素子用ホルダー４が上部プレート１０と下部プレート２０との間に嵌合することにより、発光素子用ホルダー４が固定される。それ以外にも、例えば発光素子用ホルダー４の底部と下部プレート２０との間に粘着剤や両面テープを介在してもよい。
【００２７】
このように、連結体２に照明具３を装着して情報媒体に取り付ける。図４は図１に示す発光素子用取付具１に発光素子用ホルダー４を装着して情報媒体１００を構成した一例を示す模式図である。図４に示すように、発光素子用取付具１の連結体２は、係合部３４の回りにそれぞれ回すことにより、係合部３４を連結軸として、任意の形状とすることができる。そして、各図に示す上部プレート１０、下部プレート２０に設けた取付用貫通穴１５に図示しない螺子等を引っ掛けることにより、連結体２の各発光素子用取付具１を情報媒体１００に固定することができる。
【００２８】
本考案の実施形態では、中間部１１及び２１の左右間の長さが等しいものを連結する場合を説明しているが、発光素子の配置間隔に応じて適宜に中間部１１及び２１の左右間の長さを設定することもでき、より自由度を増した情報媒体を構成することができる。
【００２９】
本考案の実施形態は、図示した形態では、上部プレート１０の左端部１３と下部プレート２０の左端部２３の間隔を上部プレート１０の右端部１４と下部プレート２０の右端部２４の間隔より狭くして、棒状の係合部３４で上部プレート１０及び下部プレート２０の右端部１４，２４同士を接続し、上部プレート１０及び下部プレート２０の左端部１３，２３に係合部３４に対応した係合受部３５を設けている。
【００３０】
しかしながら、本考案の実施形態はこの図示した形態に限られることなく、上部プレートの右端部と下部プレートの右端部の間隔を上部プレートの左端部と下部プレートの左端部の間隔より狭くして、棒状の係合部で上部プレート及び下部プレートの左端部同士を接続し、上部プレート及び下部プレートの右端部に係合部に対応した係合受部を設けてもよい。この場合、左右の発光素子用取付具１，１同士を連結するには、互いに隣り合う右側の発光素子用取付具における左の連結口から左側の発光素子用取付具における各右端部を挿入して挟み込み、右側の発光素子用取付具の係合部を左側の発光素子用取付具の係合受部に引っ掛け、右側の発光素子用取付具と左側の発光素子用取付具とを連結すればよい。
【符号の説明】
【００３１】
１：発光素子用取付具
１Ｌ：左側の発光素子用取付具
１Ｒ：右側の発光素子用取付具
２：発光素子用取付具の連結体
３：照明具
４：発光素子用ホルダー
４Ａ：発光素子用ホルダーの頭部
５：配線コード
６：カバー材
７：ホルダー本体
１０：上部プレート
１１：中間部
１１Ａ：段差
１２：露出部
１３：左端部
１４：右端部
１５：取付用貫通穴
２０：下部プレート
２１：中間部
２１Ａ：段差
２３：左端部
２４：右端部
２５：取付用貫通穴
３１：発光素子用ホルダー装着口
３２Ｌ：左の連結口
３２Ｒ：右の連結口
３３：壁部
３３Ｂ：背面の壁部
３３Ｌ：左側面の壁部
３４：係合部
３５：係合受部
３５Ａ：第一の挿入路
３５Ｂ：第二の挿入路
３５Ｃ：把持部
１００：情報媒体
【図１】
0003174260.tif 000003
【図２】
0003174260.tif 000004
【図３】
0003174260.tif 000005
【図４】
0003174260.tif 000006